(57)【要約】【課題】音声認識技術に適した情報処理技術を提供する。【解決手段】音声入力部と、音声認識のための外部音声を妨害するための妨害音データを設定する妨害音データ設定部と、前記音声入力部から入力した妨害音データに基づく音声を、内部で消音するための消音データを保存する消音データ保存部と、前記妨害音データと前記消音データとを再生する再生部と、前記再生部により再生された妨害音データを出力する音声出力部と、前記音声入力部から前記外部音声とともに入力した妨害音データに基づく音声を前記再生部で再生される前記消音データにより消音し前記外部音声を抽出する妨害音データ消音処理部と、を有することを特徴とする情報処理装置。【選択図】図１
2013198081.tif 000002
【特許請求の範囲】
【請求項１】
音声入力部と、
音声認識のための外部音声を妨害するための妨害音データを設定する妨害音データ設定部と、
前記音声入力部から入力した妨害音データに基づく音声を、内部で消音するための消音データを保存する消音データ保存部と、
前記妨害音データと前記消音データとを再生する再生部と、
前記再生部により再生された妨害音データを出力する音声出力部と、
前記音声入力部から前記外部音声とともに入力した妨害音データに基づく音声を前記再生部で再生される前記消音データにより消音し前記外部音声を抽出する妨害音データ消音処理部と
を有することを特徴とする情報処理装置。
【請求項２】
さらに、外部環境を検知するセンサ部を備え、
前記センサ部からのセンシング結果に基づいて、前記妨害音データを設定することを特徴とする請求項１に記載の情報処理装置。
【請求項３】
さらに、外部環境を検知するセンサ部を備え、
前記センサ部からのセンシング結果に基づいて、前記妨害音データと前記消音データとのセットを設定することを特徴とする請求項１に記載の情報処理装置。
【請求項４】
さらに、背景音声を検出する検出部を有し、
前記背景音声に基づいて、前記妨害音データと前記消音データとを調整する妨害音／消音データ調整部を有することを特徴とする請求項１から３までのいずれか１項に記載の情報処理装置。
【請求項５】
音声認識のための外部音声を妨害するための妨害音データと、音声入力部から入力され、音声認識のために設定された外部音声を妨害するための妨害音データに基づく音声を、内部で消音するための消音データと、を再生する再生ステップと、
前記再生ステップにより再生された妨害音データを音声出力部から出力する音声出力ステップと、
前記音声入力部から前記外部音声とともに入力した妨害音データに基づく音声を前記再生ステップで再生される前記消音データにより消音し前記外部音声を抽出する妨害音データ消音処理ステップと
を有することを特徴とする情報処理方法。
【発明の詳細な説明】
【技術分野】
【０００１】
本発明は、情報処理技術に関し、特に、音声処理技術に関する。
【背景技術】
【０００２】
携帯端末などにおいては、音声通話がコミュニケーションの主体となるため、音声が他人に聞かれてしまうなどの問題がある。
【０００３】
下記特許文献１は、一般的な電話機で通話中に、周囲にいる他人によってユーザの通話内容が聞き取られるのを防止することを目的とする発明を開示する。より詳細には、所定のタイミングで妨害音声データを発生してスピーカから出力し、同時に妨害音声データを処理して打ち消し音声データを発生し、マイクロホンによって捕捉された音声データ中の妨害音声成分を、その捕捉された音声データとその打ち消し音声データとを合成することによって実質的に打ち消し、その妨害音声発生が停止したときその打ち消し音声データの発生を抑制して正常な通話を行うことを意図した発明である。また、周囲騒音に対して妨害音を調整する技術が、特許文献２に開示されている
【先行技術文献】
【特許文献】
【０００４】
【特許文献１】特開２００７−６３６３号公報
【特許文献２】特開２００９−２６７７９９号公報
【発明の概要】
【発明が解決しようとする課題】
【０００５】
通話の他に、音声が関連する技術として、音声認識技術がある。音声認識技術は、携帯機器の手によるボタン操作等が難しいケースで用いることができるため、特に重要になってきている。特に、携帯端末装置などの携帯機器では、操作ボタンなどの入力装置が充実しているわけではないので、特に、重要性が高い技術である。
【０００６】
最近、スマートフォンに代表される携帯端末装置にも音声認識技術が利用され、これにより、例えば音声入力したキーワードに関連する情報を検索し、表示部に表示させることが出来る機能が設けられている。
【０００７】
ところで、音声認識技術では音声入力が必須であるが、音声認識機能を使う際には、使用者が音声を発するため、周辺の他者に発生した音声が漏れ聞こえる可能性がある。
【０００８】
発声音を他者に認識されることを防ぐ方法としては、上記のような音声通話時の技術を適用することも考えられ、実際に音声通話時に話者の音声の漏れを防止する技術も存在する。
【０００９】
しかしながら、それらの何れの技術も、発声している期間にリアルタイムに打ち消し音を生成するものであり、妨害音の発声タイミングを認識する処理を音声認識処理と並行して常時行う必要がある。従って、比較的軽量であることが好ましい携帯端末の情報処理の負荷が高くなるという問題がある。
【００１０】
本発明は、音声通話と異なり、数秒程度で済む音声認識技術に適した情報処理技術を提供することを目的とする。
【課題を解決するための手段】
【００１１】
本発明の一観点によれば、音声入力部と、音声認識のための外部音声を妨害するための妨害音データを設定する妨害音データ設定部と、前記音声入力部から入力した妨害音データに基づく音声を、内部で消音するための消音データを保存する消音データ保存部と、前記妨害音データと前記消音データとを再生する再生部と、前記再生部により再生された妨害音データを出力する音声出力部と、前記音声入力部から前記外部音声とともに入力した妨害音データに基づく音声を前記再生部で再生される前記消音データにより消音し前記外部音声を抽出する妨害音データ消音処理部と、を有することを特徴とする情報処理装置が提供される。
【００１２】
妨害音データの中から所定の妨害音を選択して設定し、それを用いて音声認識のための外部音声（発声）が周囲に理解できないようにすることができるため、簡単な処理で外部音声を妨害することができる。また、妨害音データと消音データとの組を選択することで、適切な処理を簡単に行わせることができる。
【００１３】
妨害データ消音処理の為の同期情報、音量情報を準備しておくことで、適切に消音が可能である。
【００１４】
さらに、外部環境を検知するセンサ部を備え、前記センサ部からのセンシング結果に基づいて、前記妨害音データを設定することが好ましい。例えば、位置情報に基づいて、適切な妨害音データを設定することで、音声認識時の外部音声を周辺の他者が聞こえ難くするようにすることができる。
【００１５】
さらに、外部環境を検知するセンサ部を備え、前記センサ部からのセンシング結果に基づいて、前記妨害音データと前記消音データとのセットを設定することが好ましい。
【００１６】
前記妨害音データと前記消音データとを再生する処理と、前記音声入力部から入力した妨害音データに基づく音声を前記再生部に再生される前記消音データにより消音する処理とを繰り返し行った後に音声認識を行うようにしても良い。これにより、音声認識の精度が向上する。
【００１７】
さらに、背景音声を検出する検出部を有し、前記背景音声に基づいて、前記妨害音データと前記消音データとを調整する妨害音データ／消音データ調整部を有することが好ましい。背景音声に基づいて妨害音を調整することで、音声認識時の音声をより好ましく聞こえないようにすることができる。
【００１８】
本発明の他の観点によれば、音声認識のための外部音声を妨害するための妨害音データと、音声入力部から入力され、音声認識のために設定された外部音声を妨害するための妨害音データに基づく音声を、内部で消音するための消音データと、を再生する再生ステップと、前記再生ステップにより再生された妨害音データを音声出力部から出力する音声出力ステップと、前記音声入力部から前記外部音声とともに入力した妨害音データに基づく音声を前記再生ステップで再生される前記消音データにより消音し前記外部音声を抽出する妨害音データ消音処理ステップと、を有することを特徴とする情報処理方法が提供される。
【００１９】
本発明は、上記の情報処理方法をコンピュータに実行させるためのプログラムであっても良く、当該プログラムを記録するコンピュータ読み取り可能な記録媒体であっても良い。
【発明の効果】
【００２０】
予め、妨害音データと消音データとのセットを用意しておき、これらの選択肢の中から選択することで、簡易的な方法で外部音声を発声する際に妨害データを再生して、他者に検索キーワードなどの外部音声が漏れるのを軽減することが出来る。
この際、例えば、音声通話時に用いる妨害音に対する消音データ作成のリアルタイム処理は不要とすることができる。
【図面の簡単な説明】
【００２１】
【図１】本発明の実施の形態による音声認識に関する情報処理装置の一構成例を示す機能ブロック図である。
【図２】本実施の第１の実施形態による情報処理（処理１）の流れを示すフローチャート図である。
【図３】本実施の第２の実施形態による情報処理（処理２）の流れを示すフローチャート図である。
【図４】本実施の第３の実施形態による情報処理（処理３）の流れを示すフローチャート図である。
【図５】本実施の第４の実施形態による情報処理（処理４）の流れを示すフローチャート図である。
【図６】図２のステップＳ２の妨害音の再生に用いる妨害音の選択操作の一例を示すためのスマートフォンの表示部における表示の一例を示す図である。
【図７】図２に示すような妨害音付き音声認識の処理時における、表示部の表示例を示す図である。
【図８】音声認識結果の一覧の表示例を示す図である。
【発明を実施するための形態】
【００２２】
本明細書において、音声認識のために音声入力部に入力するために、ユーザ等が発声する音声を外部音声と称する。また、消音データは、外部音声を消音するものとして説明したが、実際には、完全に消音できなくても、音声認識精度が向上できる程度の効果があれば良い。
【００２３】
以下、本発明の実施の形態による情報処理技術について、図面を参照しながら、スマートフォンや携帯電話等の携帯端末の音声認識機能を例にして詳細に説明する。
【００２４】
図１は、本発明の実施の形態による音声認識に関する情報処理装置の一構成例を示す機能ブロック図である。
【００２５】
図１に示す情報処理装置Ａは、音声データを再生する再生部１と、符号化方式を使ってデータのエンコード（符号化）とデコード（復号）を双方向にできる装置やソフトウェアなどのＣＯＤＥＣ部３と、スピーカなどの音声出力部５と、マイクロホンなどの外部音声を入力する音声入力部７と、音声認識時に発声する外部音声を妨害するための妨害音データを設定する妨害音データ設定部１１と、音声入力部７から入力した妨害音データに基づく音声を装置内で消音して、音声認識の精度を向上させるための消音データを保存する消音データ保存部１５と、音声入力部７から入力した妨害音データに基づく音声を消音データにより消音して外部音声を抽出する処理を行う妨害音データ消音処理部２１と、を有している。妨害音データ消音処理部２１からの出力が、公知の音声認識部３１に出力される。
【００２６】
情報処理装置Ａは、さらに、音量センサやＧＰＳなどのセンサ部１７と、妨害音データの音量や音質等を調整する妨害音／消音データ調整部２３と、調整データを保存する調整データ保存部１５ａと、を有している。
【００２７】
センサ部１７は、位置情報検出部（ＧＰＳ）や、背景音声検出部などのうち少なくともいずれか１を含む。センサ部１７が、背景音声検出部である場合には、マイク７からＣＯＤＥＣ部３を介して入力されるようにしても良いし、別途、周囲の音を検出する音声検出機能を有していても良い。
【００２８】
【表１】
2013198081.tif 000003
【００２９】
表１は、妨害音データ設定部１１に設定される妨害音データと消音データ保存部１５に保存される消音データと調整データ保存部１５ａに保存される調整データとの関連付け状況を示す表である。表１に示すように、妨害音データ１と消音データ１と調整データ１とが関連付けされ、妨害音データ２と消音データ２と調整データ２とが関連付けされ、妨害音データ３と消音データ３と調整データ３とが関連付けされている。尚、表１の位置情報については、第２の実施の形態で説明する。
【００３０】
図２は、本実施の第１の実施形態による情報処理（処理１）の流れを示すフローチャート図である。図７は、図２に示すような、妨害音付き音声認識の処理時における、以下に示す図６と同じ端末５１の表示部５３の表示例を示す図である。
【００３１】
図２に示す妨害音付き音声認識処理では、ステップＳ１で、例えば、音声認識処理の開始を意味する「はい」を操作者が選択すると、携帯端末の操作ボタンなどによる操作が検出されアプリケーションが立ち上がることで音声認識モードに入り、マイク７から音声認識のための外部音声の入力が検出されると（ステップＳ１で「はい」）、以下の処理が行われる。
【００３２】
ステップＳ２で、妨害音データ設定部１１において予め設定されていたデータからユーザ操作等により選択された妨害音データ又は自動的に選択された妨害音データが、再生部１で再生され、ＣＯＤＥＣ３を経てスピーカ５から妨害音として音声出力され、音声認識のための外部音声が他者などに聞き取れないように妨害する。
【００３３】
ステップＳ３で、消音データ保存部１５に保存されていた消音データのうち、上記妨害音データと例えば表１に示すようにセットとなっている消音データが再生部１で再生され、装置内部の妨害音データ消音処理部２１に入力する（入力消音データ）。スピーカから出力する妨害音データに対応しそれをキャンセルするのに適した音量情報を表１の調整データから取得して、再生する消音データの音量とする。消音データは、後述する表１の調整データから取得した同期情報に基づいて再生を開始する。
【００３４】
すなわち、処理開始時には、予め設定されている、妨害音データをスピーカ５から再生し、消音データを端末内部で再生開始する。消音データはスピーカ５からは出力させない。端末のマイク７には、スピーカ５から出力される妨害音と話者の外部音声とが入力される。
【００３５】
ステップＳ４で、ステップＳ２でスピーカ５から出力された妨害音データのうちマイク７に入力した妨害音データ（入力妨害音データ）と音声認識のための外部音声とがＣＯＤＥＣ３を介して妨害音データ消音部２１に入力される。そして、入力妨害音データが消音データにより、打ち消されるように処理されることで、音声認識のための外部音声に近い音声が音声認識部３１に入力される。これにより、音声認識の精度が向上する。
【００３６】
ある時間、外部音声が入力されないか音声認識ボタンがＯＦＦされるなどして音声認識処理が終了すると（ステップ５で「はい」）、処理が終了する（ステップＳ６）。再び音声が出されるなどにより終了しないと（ステップＳ５で「いいえ」）、ステップＳ２に戻り、処理が継続する。処理を継続することで、音声認識精度がより一層向上する。
【００３７】
尚、音声認識処理が、消音データの再生可能時間分以上継続する場合には、妨害音データ／消音データを最初から繰り返し再生を行えば良い。消音データの終端まで再生した場合、処理を終了してもよい。
【００３８】
図６は、図２のステップＳ２の妨害音の再生に用いる妨害音の選択操作の一例を示すスマートフォンの表示部における表示の一例を示す図である。
【００３９】
図６に示す端末（スマートフォン）５１の表示部５３に、妨害音の選択メニュー表示例が示されている。ここでは、音声認識前、例えば、図２のステップＳ１より前に、ユーザが予め妨害音を選択する操作を行う例にして説明すると、まず、妨害音を選択して下さいなどのアナウンス５５が報知され、妨害音の選択候補の表示を表１の妨害音データ（１）５７−１、妨害音（２）５７−２、妨害音（３）５７−３、…のうちから選択できるようになっている。複数の妨害音は、例えば、着信時の音声やダウンロードした音楽の一部などから作成しておくこともできるし、予め、情報処理装置内末にデフォルトで組み込まれているものを用いるようにしても良いが、いずれにしても、予め装置内に用意されている妨害音データから選択することができる。さらに、妨害音データに対応する消音データも、予め作成又は用意しておくことができる。消音の作成例については、後述する。
【００４０】
ここで、ユーザが妨害音「△△△」５７−２を選択すると、表示６１に、例えば、「「音△△△」を選択しても良いですか？」などのアナウンス報知と、ＹＥＳ、ＮＯのボタンの表示６１がなされる。ここで、ユーザがＹＥＳを押すと、妨害音「△△△」５７−２が設定される。「ＮＯ」を押すと、妨害音の選択操作に戻る。妨害音「△△△」５７−２が設定されると、この設定に基づいて、音声認識の発声時の妨害音データと消音データとが表１から求まるので、これを用いることができる。
【００４１】
以下に、消音データの作成の一例について説明する。消音データの作成方法は、その他の方法でも良い。
【００４２】
例えば、装置に予め設定されている妨害音データを選択し、選択された妨害音データを再生部１からＣＯＤＥＣ３を介してスピーカ５より再生する。また選択された妨害音データは消音データ生成部２４にも直接送られる。端末のマイク７では、スピーカ５から出力されている妨害音が入力され、ＣＯＤＥＣ３を介して装置内部に戻る。これらの処理に基づいて、以下のように、消音データ、同期情報、音量情報を作成することができる。
【００４３】
消音データは、音声認識の音声と妨害音データとを合わせたマイク７からの入力データから、妨害音データ分を減算するためのデータであり、予め、表１のように、妨害音データに対応して、消音データ生成部２４にて公知の方法にて求めて消音データ保存部１５に保存しておく。
【００４４】
また、同期情報は、装置内部で再生された妨害音と、それより遅れてマイク７から入力された妨害音とのタイミングを合わせるようにするタイミングを合わせるためのデータとして公知の方法で求めることができる。音量情報は、スピーカ５から出力する音量と、マイク７から入力される音量と、の比較に基づく公知の方法で求めることができる。同期情報、音量情報は表１の調整データとして調整データ保存部１５ａに保存しておく。
【００４５】
次に、本発明の第２の実施の形態について説明する。基本的な構成は図１と同様であるが、さらに、センサ部１７からのセンシングデータを用いることを特徴とする。ここでは、センサ部１７が、端末の現在位置を検出するＧＰＳであり、ＧＰＳが検出した現在位置と、表１のように、消音データと妨害音データとのセットに対して位置が関連付けされている例について説明する。
【００４６】
表１では、例えば、Ｐ１、Ｐ２、Ｐ３などの、緯度経度などの位置情報が検出された場合には、対応する妨害音データ１と消音データ１とのデータセットを選択する。例えば、Ｐ１１、Ｐ１２、Ｐ１３などの位置情報が検出された場合には、妨害音データ２と消音データ２とのデータセットを選択し、例えば、Ｐ２１、Ｐ２２、Ｐ２３などの位置情報が検出された場合には、妨害音データ３と消音データ３とのデータセットが自動的に選択又は選択のための提示がなされるようになっている。Ｐ１などは緯度、経度、高度などでも良いし、駅構内、学校、電車の線路上（電車内）、例えば、大阪城などのある施設内など、具体的な名称などでも良い。位置データの組は、位置に依存するある属性、例えば静かなところ、大きな声を出してはいけないところ、などで区別することが好ましい。
【００４７】
ここで、例えば、現在位置が駅の構内である場合に適した妨害音と、自宅であった場合の妨害音とは、前者の方を大きくするのが好ましい場合が多い。このような、位置に依存した妨害音を自動的に選択して、位置に適した音声認識作業ができるようにするのが特徴である。
【００４８】
図３は、本実施の形態による情報処理の流れを示すフローチャート図である。まず、音声認識処理が開始されると、ステップＳ１１において、センサ部１７、ここではＧＰＳにより現在位置が検出され、この現在位置と関連付けておいた表１のデータとを照合する。例えば、位置情報Ｐ２が取得された場合を例にして説明する。そして、ステップＳ１２において、ステップＳ１１で関連付けが照合された妨害音データと消音データとのセットを選択する。この選択されたセットは、位置情報に基づいて音声認識における妨害音データとしてどのような妨害音データを選択するのが、発声の妨害という観点から好ましいかを基準に選択するのが良い。次いで、ステップＳ１３からステップＳ１７までで、図２のステップＳ２からＳ５までと同様の処理を行う。
【００４９】
以上のように、本実施の形態によれば、位置に依存した妨害音データを自動的に選択することで、その位置に適した音声認識作業ができるという利点がある。ここでは、位置に依存したデータに基づいて妨害音データを選択する例を示したが、位置とタイマから取得する時間（昼か夜かなど）の両方に依存したデータセットを選択するようにして、より適切な音声認識処理を行わせるようにしても良い。
【００５０】
さらに、センサとしては、位置センサの他に、背景の音量、マイクから取得した音声（周囲の騒音）、などであっても良い。或いは、光センサやタイマなどで、夜と昼とを識別し、その結果に基づいて、夜の場合には、昼よりも妨害音を小さくするなどの選択をしても良い。
【００５１】
以上に説明したように、本実施の形態による情報処理技術によれば、位置情報などのセンシング結果に基づいて、妨害音データと消音データとのセットを選択するように構成しているため、現在の位置によって推定される現在位置の状態に適した外部音声の妨害処理と音声認識処理とが可能になるという利点がある。
【００５２】
次に、本発明の第３の実施の形態について説明する。図４は、本実施の形態による情報処理に流れを示すフローチャート図である。図３と図４との相異点は、音声認識が終了すると（ステップＳ２７で「はい」。）、表示部５３に、認識結果の一覧を表示する点である。
【００５３】
図８は、認識結果の一覧の表示例を示す図である。図８に示すように、端末５１の表示部５３に、ステップＳ２８の認識結果の一覧表示８１がなされている。ここでは、ある外部音声に対して、その音声認識結果として、１）ＡＡＡ、２）ＡａＡ、３）ＡＡａの３通りの認識結果が表示されており、ユーザは、そのうちから正しい結果を選択することができる（符号８５、８７）。
【００５４】
このように、消音データによる消音処理を伴う場合に、認識精度がやや低下する可能性を考慮して、認識結果を複数表示する（例えば、ステップＳ２７において、必ず数回の「いいえ」を経て、複数表示を行うようにすると良い。
【００５５】
以上のように、本実施の形態によれば、認識結果が異なる場合に、それを複数表示させることで、ユーザに正しい認識結果を選択させることができる。このようにすると、複数の認識結果候補から正しい結果を選択することで、認識精度を向上させることができるという利点がある。
【００５６】
次に、本発明の第４の実施の形態について説明する。本実施の形態では、センサ部１７が背景音声検出部である例である。図５は、本実施の形態による情報処理に流れを示すフローチャート図である。ステップＳ３１において、センサ部１７が背景音声の音量や音質等を検出する。ステップＳ３２において、音声認識が開始されると（「はい」）ステップＳ３３で、妨害音データの背景音声に基づく妨害音データの調整を妨害音／消音データ調整部２３で行って妨害音データの再生を行う。また、ステップＳ３４において、消音データを妨害音／消音データ調整部２３で調整を行って再生する。また、ステップＳ３５で、妨害音データの消音データによる消音処理を行う。
【００５７】
上記の実施の形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。
【００５８】
また、本実施の形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。
【００５９】
また、「コンピュータシステム」は、ＷＷＷシステムを利用している場合であれば、ホームページ提供環境（あるいは表示環境）も含むものとする。
【００６０】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また前記プログラムは、前述した機能の一部を実現するためのものであっても良く、さらに前述した機能をコンピュータシステムにすでに記録されているプログラムとの組み合わせで実現できるものであっても良い。上記機能の一部又は全部を集積回路などのハードウェアにより実現するようにしても良い。
【産業上の利用可能性】
【００６１】
本発明は、情報処理装置に利用することができる。
【符号の説明】
【００６２】
Ａ…情報処理装置、１…再生部、３…ＣＯＤＥＣ部、５…音声出力部、７…音声入力部、１１…妨害音データ設定部、１５…消音データ保存部、１５ａ…調整データ保存部、１７…センサ部、２１…妨害音データ消音処理部、２３…妨害音／消音データ調整部、２４…消音データ生成部、３１…音声認識部。
【図１】
2013198081.tif 000004
【図２】
2013198081.tif 000005
【図３】
2013198081.tif 000006
【図４】
2013198081.tif 000007
【図５】
2013198081.tif 000008
【図６】
2013198081.tif 000009
【図７】
2013198081.tif 000010
【図８】
2013198081.tif 000011